(57)【要約】【課題】　研磨装置の点検、調整、交換の作業が容易に行え、環境上も問題のない研磨装置を備えた遊技機を提供する。【解決手段】 回収口３４の上部に球磨き装置３６が配置されている。球磨き装置３６は軸に回動部材４５Ａ，４５Ｂを介してスポンジ４７Ａ，４７Ｂを装着し、回動部材押さえ具４９をネジで軸に固定したものである。Ｔ１，Ｔ２，Ｔ３は、いずれも遊技球Ｂの直径Ｕよりも小であるので、回収口３４に回収される遊技球Ｂは全てスポンジ４７Ａ，４７Ｂのどちらかと接触し、その表面に付着していた異物が除去される。【選択図】　　　　図５
2004000728.tif 000002
【特許請求の範囲】
【請求項１】
ほぼ垂直に配置された遊技盤と遊技球を弾く弾球手段とを有し、少なくとも同遊技盤面には同弾球手段により弾かれて上方から落下する遊技球を受ける入賞口と入賞口に入賞しなかった非入賞球を回収するための回収口を設けた遊技機において、
　前記遊技盤面に遊技球に付着した異物を除去する異物除去手段を設け、前記入賞口又は回収口へ収容される遊技球に前記異物除去手段と接触して異物除去処理が施されるようにしたことを特徴とする遊技機。
【請求項２】
前記異物除去手段を、前記遊技盤面に設けられた回収口の近傍に設け、前記回収口へ収容される遊技球に前記異物除去手段と接触して異物除去処理が施されるようにした請求項１に記載の遊技機。
【請求項３】
前記異物除去手段と干渉する遊技球を検出する検出手段と、同検出手段による遊技球の検出数が所定数に達するとそのことを報知する報知手段を設けた請求項１又は２に記載の遊技機。
【発明の詳細な説明】
【技術分野】
【０００１】
　この発明は、パチンコ遊技機等に利用される遊技媒体である遊技球に付着した汚れを除去する装置を備えた遊技機に関する。
【背景技術】
【０００２】
　従来の遊技機において、遊技球に付着した異物を除去する装置を備えたものには、例えば特開平９−１９２３３３号に示す遊技機がある。この遊技機では、盤面の裏側に設けられた遊技球の通路に研磨装置を配置し、遊技球の移動に伴い、遊技球が研磨部材に当接することにより遊技球に付着している異物を除去するようにしていた。研磨装置は録音用のカセットテープのように、ケース内に一対の軸を配置し、同軸にリールを装着し、一方のリールから他方のリールにテープ状の研磨部材が巻き取られるようにしたものである。研磨装置は研磨部材が露出している部分が遊技球の通路に面するように装着され、遊技球が移動する際に研磨部材に接触することにより遊技球に付着している異物が除去されるようになっている。研磨部材の研磨能力が落ちるとリールが回転し、新たなテープ面が露出する。
【発明の開示】
【発明が解決しようとする課題】
【０００３】
　しかし、前記従来の遊技機においては、研磨装置を遊技盤の裏側に配置せざるを得ず、研磨装置の点検、調整、交換の作業は、一台ずつ前枠を外枠に対して回動させて遊技盤の裏側を作業者の側に向けた上で行わう必要があり、その作業は煩雑なものであった。また、研磨装置の交換はケース単位でなされ、使用済の研磨装置はケースごと廃棄処分がなされるため、環境上も問題があった。
　この発明はこのような事情に鑑みてなされたものであって、その目的は、研磨装置の点検、調整、交換の作業が容易に行え、環境上も問題のない研磨装置を備えた遊技機を提供することにある。
【課題を解決するための手段】
【０００４】
　上記の目的を達成するために、請求項１に記載の発明は、ほぼ垂直に配置された遊技盤と遊技球を弾く弾球手段とを有し、少なくとも同遊技盤面には同弾球手段により弾かれて上方から落下する遊技球を受ける入賞口と入賞口に入賞しなかった非入賞球を回収するための回収口を設けた遊技機において、前記遊技盤面に遊技球に付着した異物を除去する異物除去手段を設け、前記入賞口又は回収口へ収容される遊技球に前記異物除去手段と接触して異物除去処理が施されるようにしたことをその要旨とする。上記の構成によれば、遊技盤面上を移動する遊技球のうち異物除去手段と接触した遊技球は、異物除去処理が施される。また、上記の目的を達成するために、請求項２に記載の発明は、請求項１に記載の遊技機において、前記異物除去手段を、前記遊技盤面に設けられた回収口の近傍に設け、前記回収口へ収容される遊技球に前記異物除去手段と接触して異物除去処理が施されるようにしたことをその要旨とする。上記の構成によれば、請求項１に記載の発明の作用に加え、回収口へ収容される遊技球は異物除去手段と接触して異物除去処理が施される。また、上記の目的を達成するために、請求項３に記載の発明は、請求項１又は２に記載の遊技機において、前記異物除去手段と干渉する遊技球を検出する検出手段と、同検出手段による遊技球の検出数が所定数に達するとそのことを報知する報知手段を設けたことをその要旨とする。上記の構成によれば、請求項１又は２に記載の発明の作用に加え、異物除去手段と干渉する遊技球が検出され、同検出手段による遊技球の検出数が所定数に達するとそのことが報知される。
【発明の効果】
【０００５】
　請求項１に記載の発明では、遊技盤面に異物除去手段を設けたので、遊技盤の背面を作業者側に向けなくとも、異物除去手段の点検、調整、交換の作業が容易にできる。請求項２に記載の発明では、請求項１に記載の発明の効果に加え、非入賞球は全て回収口に入口するので、回収口近傍に設けられた異物除去手段と接触する可能性が高く、効果的に遊技球に付着した異物を除去することができる。請求項３に記載の発明では、請求項１又は２に記載の発明の効果に加え、異物除去手段と干渉する遊技球が検出され、同検出手段による遊技球の検出数が所定数に達するとそのことが報知されるので、所定数を異物除去手段の除去能力が劣化する数としておけば、異物除去手段の交換時期を容易に知ることができ、点検作業が簡略化できる。
【発明を実施するための最良の形態】
【０００６】
　以下、本発明の実施の形態である遊技機（第１種始動口付きパチンコ機、以下単にパチンコ機という）を説明する。図１に示すように、外枠１には前枠２が回動軸を中心に回動可能に装着されている。同図１では前枠２は閉じた状態にある。前枠２には図示しない遊技盤、ガラス枠４、上皿５、下皿６、ハンドル部７等が装着されている。ガラス枠４は、前枠２に回動軸を中心に回動可能に装着されている。上皿５の側方であって前枠２内部にはスピーカ８が埋設されている。スピーカ８は遊技の進行に伴い種々の効果音を鳴らしたり、遊技者に遊技状態を音声にて報知する。前枠２内部には各種機構部が配設されている。
【０００７】
　次に遊技盤３の遊技面上の構成について説明する。
　図２に示すように、遊技盤３の中央には第１の可変表示装置たる特別図柄表示装置（以下単に表示装置という）１５が組み込まれている。表示装置１５は液晶ディスプレイ（ＬＣＤ）よりなる表示画面１５ａを備えている。表示画面１５ａの図柄変動は遊技球が第１種始動口１８へ入賞することで開始する。表示装置１５の上部には普通図柄表示装置１６が併設されている。普通図柄表示装置１６は発光ダイオード（ＬＥＤ）よりなる４つの保留ランプ１６ａ〜１６ｄとＬＥＤよりなるセグメント表示部１７とを有している。
　表示装置１５の下方には第１種始動口１８が配置されている。第１種始動口１８には球検出手段たる近接スイッチ１８ａが併設されている（遊技盤３の裏面側）。第１種始動口１８の入り口には一対の開閉羽根１９が併設されており、遊技球を案内する開放位置と、第１種始動口１８内に遊技球が入りにくくなる閉塞位置を採りうる。第１種始動口１８への入賞に基づいて前記表示装置１５が作動される。開閉羽根１９は遊技盤３の裏面側に配設されたソレノイド１９ａによって駆動される。
【０００８】
　表示装置１５の両側方には一対の通過ゲート２０が配置されている。同ゲート２０には遊技球の通過を検出する球検出手段たる近接スイッチ２０ａが併設されている（ゲート２０内）。通過ゲート２０を遊技球が通過すると前記普通図柄表示装置１６が作動する。通過ゲート２０の下方には一対の普通入賞口２２が配置されている。普通入賞口２２には、球検出手段たる近接スイッチ２２ａが併設されている（遊技盤３の裏面側）。表示装置１５の上部の両側には風車２４ａ，２４ｂが、下部の両側には風車２４ｃ，２４ｄが配置されている。遊技盤３上には遊技面を包囲するように電光装飾部２６が配置されている。電光装飾部２６は透明又は半透明のプラスチック製のパネルであって、パネルの裏面にＬＥＤよりなる装飾ランプ２６ａが所定間隔で配置されている。
　前記第１種始動口１８の下方には下部パネル２８が配置されている。図３に示すように、下部パネル２８には大入賞口３０，普通入賞口３２，回収口３４，異物除去手段としての球磨き装置３６，レール３８が設けられている。大入賞口３０は前記パネル２８の上部中央に配置され、常時はシャッタ４１が閉塞されており、前記表示装置１５が作動されて特別遊技状態となると開放される。シャッタ４１は遊技盤３の裏面側に配設されたソレノイド４１ａによって駆動される。また、大入賞口３０へ入賞する遊技球全体を検出する球検出手段たる近接スイッチ３０ａが併設されている。一対の普通入賞口３２は大入賞口３０の両側に配置されている。普通入賞口３２には、球検出手段たる近接スイッチ３２ａが併設されている（下部パネル２８の裏面側）。回収口３４は、下部パネル２８の下部中央に配置されている。回収口３４は下部パネル２８に長円形の孔を形成したものである。球磨き装置３６は回収口３４の直上に配置されている。
【０００９】
　以下、球磨き装置３６について詳述する。図３〜図５に示すように、球磨き装置３６は、軸４３Ａ，４３Ｂ，回動部材４５Ａ，４５Ｂ，異物除去部材としてのスポンジ４７Ａ，４７Ｂ，回動部材押さえ具４９，ネジ５１とにより構成されている。軸４３Ａ，４３Ｂは、下部パネル２８の回収口３４の直上に一定の間隔で突設されている。軸４３Ａ，４３Ｂは、円筒状に形成され一方の端部４４の径が大きく形成されている。同端部４４の外周面には、ネジ溝４４ａが形成されている。下部パネル２８には、回収口３４の直上に一定の間隔で一対の孔２９が形成され、同孔２９の内周面にはネジ溝２９ａが形成されている。図５（ｂ）に示すように、軸４３Ａ，４３Ｂは、前記孔２９の周縁のネジ溝２９ａに前記ネジ溝４４ａが螺合されて、前記孔２９に固定されている。孔２９の周縁部には２段状のワッシャ４２が形成されている。軸４３Ａ，４３Ｂの内周面にはネジ５１を装着するためのネジ溝４３ａが形成されている。回動部材４５Ａ，４５Ｂは、軸４３Ａ，４３Ｂに回動可能に装着されている。回動部材４５Ａ，４５Ｂは円筒状に形成され、その外周面には外形が正８角形板状のずれ防止環４５ａが形成されている。スポンジ４７Ａ，４７Ｂは円筒状に形成され、回動部材４５Ａ，４５Ｂに外嵌されている。前記ずれ防止環４５ａはスポンジ４７Ａ，４７Ｂの当接部分を押圧している。回動部材押さえ具４９は、ネジ５１により軸４３Ａ，４３Ｂに固定されている。回動部材押さえ具４９には、一対の切欠部４９ａが形成されている。ネジ５１は、同切欠部４９ａを介して軸４３Ａ，４３Ｂのネジ溝４３ａに螺着されている。間隔Ｔ１（スポンジ４７Ａ，４７Ｂ間）、間隔Ｔ２（スポンジ４７Ａとレール間）、間隔Ｔ３（スポンジ４７Ｂとレール間）と遊技球Ｂの直径Ｕとは、
　　　　　　　　　　　Ｔ１，Ｔ２，Ｔ３＜Ｕ
の関係にあることが望ましい。遊技球Ｂの重量によりスポンジ４７Ａ，４７Ｂが凹み、遊技球Ｂの通過は阻害されない。但し、Ｔ１，Ｔ２，Ｔ３があまりに狭いと、遊技球Ｂが通過できないので前もって調整をする必要がある。Ｔ１は両側がスポンジであるので、Ｔ２，Ｔ３より狭くても遊技球の通過が可能である。レール３８は、下部パネル２８の下端縁に沿って形成されている。
【００１０】
　次に、本実施の形態の遊技機の作用について説明する。
　図４に示すように、本実施の形態のパチンコ機においては、第１種始動口１８，普通入賞口２２，普通入賞口３２，大入賞口３０に入賞した遊技球以外の遊技球（非入賞球）は全て回収口３４に入口する。従って非入賞球Ｂは、全て球磨き装置３６のスポンジ４７Ａ，４７Ｂの両方又はいずれかと接触し、球面に付着した異物が除去される。ここで異物とは、遊技球自体以外の全ての物質をいい、遊技球自体が発生する錆をも含む概念である。これらの異物には、例えば前記錆の外、遊技釘から発生する金属粉、プラスチック粉、ほこり等がある。図５（ａ）に示すように、軌跡Ｐで回収口３４に入口する遊技球Ｂは、スポンジ４７Ａ，４７Ｂの両方と接触し、スポンジ４７Ａを回動部材４５Ａごと時計回り方向に、スポンジ４７Ｂを回動部材４５Ｂごと反時計回り方向に回動させながら落下した後、回収口３４に入口する。軌跡Ｑで回収口３４に入口する遊技球Ｂは、スポンジ４７Ｂと接触し、スポンジ４７Ｂを回動部材４５Ｂごと時計回り方向に回動させて回収口３４に入口する。軌跡Ｒで回収口３４に入口する遊技球Ｂは、スポンジ４７Ａと接触し、スポンジ４７Ａを回動部材４５Ａごと反時計回り方向に回動させて回収口３４に入口する。いずれの方向から回収口３４に入口してもスポンジ４７Ａ又は４７Ｂによって遊技球Ｂの上記異物が除去される。下部パネル２８の軸４３Ａ，４３Ｂの嵌着部分の周縁には２段状のワッシャ４２が形成されているので、回動部材４５Ａ，４５Ｂ，スポンジ４７Ａ，４７Ｂは盤面３ａとは接触せず、回動は円滑に行われる。スポンジ４７Ａ，４７Ｂは、回動部材４５Ａ，４５Ｂのずれ防止環４５ａにより当接部分が押圧されているので遊技球Ｂが接触しても回動部材４５Ａ，４５Ｂに対しての装着位置が移動することはない。
【００１１】
　スポンジ４７Ａ，４７Ｂが多数の遊技球と接触し、スポンジ４７Ａ，４７Ｂに異物が付着し、異物除去能力が低下した場合にはスポンジ４７Ａ，４７Ｂを交換する。スポンジ４７Ａ，４７Ｂの交換は、以下のようにして行う。（１）ネジ５１を少し緩め、回動部材押さえ具４９を上方から取り外す。（２）軸４３Ａ，４３Ｂから回動部材４５Ａ，４５Ｂごと取り外す。（３）回動部材４５Ａ，４５Ｂから異物除去能力が低下したスポンジ４７Ａ，４７Ｂを取り外し、新しいスポンジ４７Ａ，４７Ｂを回動部材４５Ａ，４５Ｂに装着する。（４）新しいスポンジ４７Ａ，４７Ｂを装着した回動部材４５Ａ，４５Ｂを再び軸４３Ａ，４３Ｂに装着する。（５）回動部材押さえ具４９を一対の切欠部４９ａをネジ５１のネジ棒に嵌めることにより装着する。（６）ネジ５１を締めて回動部材押さえ具４９を軸４３Ａ，４３Ｂに固定する。
【００１２】
　このように構成することにより本実施の形態の遊技機は以下のような効果を奏する。
（１）盤面３ａに球磨き装置３６を設けたので、外枠１に対して前枠２を回動させて遊技盤３の背面を作業者側に向けなくとも、ガラス枠４を外すだけで、球磨き装置３６の点検、調整、交換の作業が容易にできる。
（２）入賞しなかった遊技球は全て回収口３４に入口し、回収口３４に入口する遊技球は全て球磨き装置３６のスポンジ４７Ａ，４７Ｂと接触するので、効果的に遊技球に付着した異物を除去することができる。
（３）球磨き装置３６は、軸４３Ａ，４３Ｂ，回動部材４５Ａ，４５Ｂ，スポンジ４７Ａ，４７Ｂ，回動部材押さえ具４９，ネジ５１とからなるので小型化が可能であり、盤面３ａに設けても外観上違和感がない。
（４）スポンジ４７Ａ，４７Ｂは回動部材４５Ａ，４５Ｂに脱着可能に装着されているので、スポンジ４７Ａ，４７Ｂのみの交換が可能となる。
（５）スポンジ４７Ａ，４７Ｂは回動部材４５Ａ，４５Ｂを介して、軸４３Ａ，４３Ｂに対して回動可能に装着されているので、遊技球Ｂがスポンジ４７Ａ，４７Ｂと接触すると回動部材４５Ａ，４５Ｂごとスポンジ４７Ａ，４７Ｂも回動し、遊技球Ｂの落下を妨げない。また、スポンジ４７Ａ，４７Ｂの遊技球Ｂと接触する部位が変化するため、スポンジ４７Ａ，４７Ｂの外周面全体が万遍なく遊技球Ｂと接触することとなり、スポンジ４７Ａ，４７Ｂの使用期間を長くすることができる。
（６）回動部材押さえ具４９には、一対の切欠部４９ａが設けられているのでネジ５１を少し緩めるだけで回動部材押さえ具４９を取り外すことができ、ネジ５１を軸４３Ａ，４３Ｂから取り外さなくても回動部材４５Ａ，４５Ｂを軸４３Ａ，４３Ｂから取り外すことができる。従って、スポンジ４７Ａ，４７Ｂの交換作業が簡単にできる。
（７）回動部材４５Ａ，４５Ｂにはずれ防止環４５ａが形成されているので、スポンジ４７Ａ，４７Ｂが遊技球Ｂと接触しても回動部材４５Ａ，４５Ｂに対する装着位置がずれることはない。
【００１３】
　なお、この発明は前記実施の形態に限定されるものではなく、次のように変更して具体化することも可能である。
・球磨き装置３６の軸４３Ａ，４３Ｂに直接スポンジ４７Ａ，４７Ｂを装着してもよい。この場合には、軸４３Ａ，４３Ｂの径を大きくするか、スポンジ４７Ａ，４７Ｂの孔の径を小さくしてスポンジ４７Ａ，４７Ｂが容易に軸４３Ａ，４３Ｂから抜けないようにする必要がある。このようにした場合、遊技球Ｂがスポンジ４７Ａ，４７Ｂに接触してもスポンジ４７Ａ，４７Ｂが回動しないため、遊技球Ｂの落下を妨げる可能性がある。しかし、スポンジ４７Ａ，４７Ｂは弾性部材であることから、前記Ｔ１，Ｔ２，Ｔ３を若干Ｕに近づければ支障は生じない。また、遊技球Ｂがスポンジ４７Ａ，４７Ｂに接触する部位が固定化するため、同接触する部位のみの異物除去能力が早期に劣化する。従って、点検等によりスポンジ４７Ａ，４７Ｂの軸４３Ａ，４３Ｂに対する装着位置を変化させる必要がある。
【００１４】
　・図６（ａ）〜（ｅ）に示す球磨き装置６０のように、基板６２に軸６４Ａ，６４Ｂを固定し、基板６２を下部パネル２８又は盤面３ａに装着するようにしてもよい。球磨き装置６０は、基板６２、軸６４Ａ，６４Ｂ、回動部材６６Ａ，６６Ｂ、スポンジ６８Ａ，６８Ｂ、回動部材押さえ具７０，ネジ７２、検出手段としての球検出器（近接センサ）７４，基板７６，報知手段としてのＬＥＤ７８とからなる。基板６２には一対の孔６３が一定の間隔で形成され、同孔６３の内周面にはネジ溝６３ａが形成されている。基板６２の両端にはネジで下部パネル２８に固定するためのネジ孔６２ａが形成され、周縁部６２ｂは斜めに面取りされている。孔６３の周縁部には２段状のワッシャ６５が形成されている。基板６２は透光性を有するプラスチックで形成されている。軸６４Ａ，６４Ｂは、円筒状に形成され一方の端部６７の径が大きく形成されている。軸６４Ａ，６４Ｂの同端部６７の外周面には、ネジ溝６７ａが形成されている。軸６４Ａ，６４Ｂは、前記孔６３の周縁のネジ溝６３ａに前記ネジ溝６７ａを螺合させることにより、前記孔６３に固定されている。軸６４Ａ，６４Ｂにはネジ７２を装着するためのネジ溝６４ａが形成されている。回動部材６６Ａ，６６Ｂは、軸６４Ａ，６４Ｂに回動可能に装着されている。回動部材６６Ａ，６６Ｂは円筒状に形成され、その外周面には外形が正８角形板状のずれ防止環６６ａが形成されている。スポンジ６８Ａ，６８Ｂは円筒状に形成され、回動部材６６Ａ，６６Ｂに外嵌されている。スポンジ６８Ａ，６８Ｂは、装着状態において前記ずれ防止環６６ａにより当接部分が圧接されている。回動部材押さえ具７０は、ネジ７２により軸６４Ａ，６４Ｂに固定されている。回動部材押さえ具７０には、一対の切欠部７０ａが形成されている。ネジ７２は、同切欠部７０ａを介して軸６４Ａ，６４Ｂのネジ孔６４ａに螺着されている。基板６２の背面側には、一対の固定棒８０，８２が延出されている。固定棒８０，８２にはネジ孔８０ａ，８２ａが形成されている。固定棒８０，８２には基板７６が固定されている。基板７６には一対の孔７６ａ，７６ｂが形成され、同孔７６ａ，７６ｂにネジ８４が挿通され、前記ネジ孔８０ａ，８２ａに螺着されている。基板７６の中央には球検出器７４が装着されている。球検出器７４は近接センサからなる。球検出器７４の両側にはＬＥＤ７８が装着されている。球検出器７４は、スポンジ６８Ａ，６８Ｂ間を通過する遊技球Ｂを検出し、その検出信号は図示しない制御装置に送信されるようになっている。検出数が所定数に達すると制御装置からの信号によりＬＥＤ７８に電力が供給され、ＬＥＤ７８が点灯するようになっている。
【００１５】
　球磨き装置６０は、下部パネル２８の回収口３４の直上に形成された孔２８ａを覆うように装着され、基板６２の背面側に設けられた固定棒８０，８２，球検出器７４，ＬＥＤ７８，基板７６は下部パネル２８の裏面側に位置している。スポンジ６８Ａ，６８Ｂ間、スポンジ６８Ａとレール３８間、スポンジ６８Ｂとレール３８間と遊技球Ｂの直径Ｕとの関係は、球磨き装置３６と同様である。この球磨き装置６０を装着した場合は、球検出器７４により、スポンジ６８Ａ，６８Ｂ間を通過する遊技球Ｂが検出され、その検出数が所定数に達するとＬＥＤ７８が点灯するので、所定数をスポンジ６８Ａ，６８Ｂの異物除去能力が低下し交換が必要となる数とすれば、スポンジ６８Ａ，６８Ｂの交換時期を容易に知ることができる。所定数は経験的に算出することが可能である。尚、球検出器７４により検出される遊技球はスポンジ６８Ａ，６８Ｂ間を通過するものだけであるため、スポンジ６８Ａとレール３８間、スポンジ６８Ｂとレール３８間を通過する遊技球は検出されない。しかし、スポンジ６８Ａ，６８Ｂ間、スポンジ６８Ａとレール３８間、スポンジ６８Ｂとレール３８間を通過する遊技球の割合は経験的に算出できるため、その割合に基づいて前記所定数を決定すれば支障は生じない。この球磨き装置６０を装着した場合も前記（１）〜（７）と同様の効果が得られる。
【００１６】
　・図７（ａ）〜（ｄ）に示す球磨き装置９０を下部パネル２８又は盤面３ａに装着するようにしてもよい。球磨き装置９０は、軸等を単体としたものであり、基板９２，軸９４，回動部材９６，スポンジ９８，回動部材押さえ具１００，ネジ１０２とからなる。基板９２は菱形状に形成され、中央には軸を固定するための孔９３が形成されている。孔９３の内周面にはネジ溝９３ａが形成されている。孔９３の周縁部には２段状のワッシャ９５が形成されている。基板９２の両端には下部パネル２８又は盤面３ａにネジで固定するためのネジ孔９２ｂが形成されており、周縁部９２ｃは斜めに面取りされている。軸９４は、円筒状に形成され一方の端部９７の径が大きく形成されている。軸９４の同端部９７の外周面には、ネジ溝９７ａが形成されている。軸９４は、前記孔９３の周縁のネジ溝９３ａに前記ネジ溝９７ａを螺合させることにより、前記孔９３に固定されている。軸９４にはネジ１０２を装着するためのネジ孔９４ａが形成されている。回動部材９６は、軸９４に回動可能に装着されている。回動部材９６は円筒状に形成され、その外周面には外形が正８角形板状のずれ防止環９６ａが形成されている。スポンジ９８は円筒状に形成され、回動部材９６に外嵌されている。スポンジ９８は、装着状態において前記ずれ防止環９６ａにより当接部分が圧接されている。回動部材押さえ具１００は、ネジ１０２により軸９４に固定されている。回動部材押さえ具１００には、切欠部１００ａが形成されている。ネジ１０２は、同切欠部１００ａを介して軸９４のネジ孔９４ａに螺着されている。球磨き装置９０は、外レール９と内レール３８との間の出口付近（図２におけるＰの位置）に装着されている。スポンジ９８と外レール９間Ｔ４と遊技球Ｂの直径Ｕとは、
　　　　　　　　　　　　　Ｔ４＜Ｕ
の関係にあることが望ましい。前記球磨き装置３６の場合と同様、Ｔ４があまりに狭いと遊技球Ｂが通過できないので、前もって調整する必要がある。この場合には、遊技者により発射され、遊技盤面３ａに導かれる遊技球は全てスポンジ９８に接触するので効果的に遊技球Ｂに付着した異物を除去できる。また、この球磨き装置９０を装着した場合も前記（１），（３）〜（７）と同様効果が得られる。
【００１７】
　・図８（ａ）〜（ｄ）に示す球磨き装置１１０を下部パネル２８又は盤面３ａに装着するようにしてもよい。球磨き装置１１０は、球磨き装置９０と同様、軸等を単体としたものであり、基板１１２，スポンジ取付軸１１４，スポンジ１１６，モータ１１８，ネジ１２０とからなる。基板１１２は菱形形状に形成され、中央に軸通し用の孔１２２が形成され、同孔１２２の周縁部にはワッシャ１１３が形成されている。基板１１２の両端には、ネジで下部パネル又は盤面３ａに固定するための孔１２４が形成されている。前記ワッシャ１１３の外側にはモータ１１８をネジ１２０で基板１１２に固定するための一対の孔１２６が形成されている。基板１１２の周縁部１１２ａは斜めに面取りされている。基板１１２の背面側には孔１２６に対応する位置に一対の固定棒１２８が設けられている。孔１２６は固定棒１２８を貫いて形成されている。モータ１１８のボディ１３０には一対のネジ孔１３２が形成されている。モータ１１８は、ネジ１２０が孔１２６を貫通してネジ孔１３２に螺着されることにより、基板１１２に固定されている。モータ軸１３４は先端が切り欠かれ、半円柱状に形成されている。スポンジ取付軸１１４はモータ軸１３４に嵌着されている。スポンジ取付軸１１４には、前記モータ軸１３４に対応する孔１１４ａが形成され、モータ軸１３４に対して回動不能である。スポンジ取付軸１１４はほぼ有底円筒状に形成され、その外周面には外形が正８角形板状のずれ防止環１１４ｂが形成されている。スポンジ１１６は円筒状に形成され、スポンジ取付軸１１４に外嵌されている。スポンジ１１６は、装着状態において前記ずれ防止環１１４ｂにより当接部分が圧接されている。球磨き装置１１０は、球磨き装置９０と同様の位置に装着されている。
　この場合には、モータ軸１３４が回転するとスポンジ取付軸１１４も回転し、それに応じてスポンジ１１６も回転する。従って、遊技球Ｂがスポンジ１１６と接触するとスポンジ１１６のうち遊技球Ｂと接触する面積が多くなり、一回の接触で球磨き装置３６，６０，９０と比較してより多くの異物を除去できる。また、この球磨き装置１１０を装着した場合も前記球磨き装置９０と同様の効果が得られる。
【００１８】
　・図９（ａ）（ｂ）に示す球磨き装置１４０を回収口３４の直上に装着するようにしてもよい。球磨き装置１４０は、取り付け腕１４２Ａ，１４２Ｂ，ブラシ１４４Ａ，１４４Ｂ，ネット１４６，異物収容棚１４８とからなる。取り付け腕１４２Ａ，１４２Ｂは、その一端が下部パネル２８に形成された孔２９に嵌着されることにより、下部パネル２８に突設して設けられている。取り付け腕１４２Ａ，１４２Ｂは円柱状に形成され、長手方向に十字状のスリット１４２ａが形成されている。ブラシ１４４Ａ，１４４Ｂは、前記スリット１４２ａに対応する十字状の基体１５０に、刷毛１５２が装着されたものである。刷毛１５２は、ナイロンからなり、ブラシ１４４Ａについては下部と右部に、ブラシ１４４Ｂについては下部と左部に装着されている。ブラシ１４４Ａ，１４４Ｂは、基体１５０が前記スリット１４２ａに嵌合されることにより、取り付け腕１４２Ａ，１４２Ｂに装着されている。レール３８の回収口３４の手前部分には棚収容部３８ａが形成されている。棚収容部３８ａの端部には、ネット１４６を装着するための段差３８ｂが形成されている。棚収容部３８ａの底面には孔３８ｃが形成されている。棚収容部３８には、箱状に形成された異物収容棚１４８が載置されている。異物収容棚１４８の前面には凹部１４８ａが形成されている。前記段差３８ｂには、ネット１４６が装着されている。
　この球磨き装置１４０を装着した場合には、遊技球Ｂに付着していた異物はブラシ１４４Ａ，１４４Ｂにより除去され、ブラシ１４４Ａ，１４４Ｂに付着せず、下方に下降する。従って、ブラシ１４４Ａ，１４４Ｂの異物除去能力はほとんど低下せず、交換はほとんど必要がない。下降した異物はネット１４６のすきまを通過してさらに下降し、異物収容棚１４８内に堆積する。異物収容棚１４８内に堆積した異物が一定量に達したら、異物収容棚１４８を棚収容部３８から取り出し、異物を廃棄し、空になった異物収容棚１４８を再び棚収容部３８に載置すればよい。この球磨き装置１４０を装着した場合には前記（１）（２）と同様の効果も奏する。異物収容棚１４８を取り出す際には棚収容部３８ａの底面の孔３８ｃに指を入れて異物収容棚１４８を押し出せばよい。
　・球磨き装置３６，６０，９０，１１０は、盤面３ａや下部パネル２８上だけでなく、遊技盤３の背面側に設けられた遊技球の通路に設けてもよい。球磨き装置６０を回収口３４から僅かに内側に入った通路に設けた場合には、回収口３４に回収された遊技球が全て検出され、スポンジ６８Ａ，６８Ｂの交換時期の算出がより確実となる。
【００１９】
　本発明について上記実施の形態から把握できる技術的思想について以下に記載する。
（１）前記異物除去手段は、軸と同軸の周面を被覆する異物除去部材とからなり、前記遊技球は同異物除去部材と接触して異物除去処理が施される請求項１又は請求項２に記載の遊技機。上記の発明では、請求項１又は２に記載の発明の効果に加え、異物除去手段は、軸と同軸の周面を被覆する異物除去部材とからなるので、小型化が可能であり、盤上に設けても外観上も見苦しくなく、遊技にも支障を生ずることがない。
（２）前記異物除去部材は軸に脱着可能に装着されている上記（１）に記載の遊技機。上記の発明では、上記（１）に記載の発明の効果に加え、異物除去部材は軸に脱着可能に装着されているので、軸を盤上に固定しても異物除去部材のみの交換が可能となる。
（３）前記異物除去部材は軸に対して回動可能に装着されている上記（１）又は（２）に記載の遊技機。上記の発明では、上記（１）又は（２）に記載の発明の効果に加え、異物除去部材は軸に対して回動可能に装着されているので、遊技球が異物除去部材と接触すると異物除去部材も回動し、遊技球の落下を妨げない。また、異物除去部材の遊技球との接触部位が絶えず変化し、異物除去部材の使用期間を長くすることができる。
【００２０】
（４）前記軸には、同軸を回転させる回転手段を設けた上記（１）又は（２）に記載の遊技機。上記の発明では、上記（１）又は（２）に記載の発明の効果に加え、軸を回転させる回転手段を設けたので、軸を回転させると異物除去部材も回転し、遊技球が異物除去部材と接触すると遊技球に付着した異物を効果的に除去できる。
（５）ほぼ垂直に配置された遊技盤と遊技球を弾く弾球手段とを有し、少なくとも同遊技盤面には同弾球手段により弾かれて上方から落下する遊技球を受ける入賞口と入賞口に入賞しなかった非入賞球を回収するための回収口を設け、同遊技盤の裏面には少なくとも前記入賞口への入賞球を導くための第１の通路と前記回収口に回収された非入賞球を導くための第２の通路とを設けた遊技機において、上記（１）〜（４）のいずれかに記載の異物除去手段を前記第１又は第２の通路の少なくとも一方に設け、前記通路に導かれた遊技球に前記異物除去手段と接触して異物除去処理が施されるようにしたことを特徴とする遊技機。上記の発明では、上記（１）〜（４）のいずれかに記載の異物除去手段を通路に設けたので、異物除去手段の小型化が可能であり、軸を通路に固定しても異物除去部材のみの交換ができ、遊技球の移動を妨げず、遊技球に付着した異物を効果的に除去できる。
（６）前記回収口に回収される遊技球が全て前記異物除去手段と接触するようにした請求項２に記載の遊技機。
（７）前記異物除去手段により除去された異物を回収する手段を設けた請求項１〜３のいずれかに記載の遊技機。
（８）弾球手段により遊技盤面に導かれる遊技球は全て前記異物除去手段と接触するようにした請求項１〜３のいずれかに記載の遊技機。
【図面の簡単な説明】
【００２１】
【図１】本発明の実施の形態のパチンコ機の斜視図。
【図２】実施の形態のパチンコ機の盤面を示す正面図。
【図３】実施の形態のパチンコ機の盤面下部を示す斜視図。
【図４】実施の形態のパチンコ機の盤面下部に球磨き装置が装着された状態を示す分解斜視図。
【図５】（ａ）実施の形態のパチンコ機の盤面下部に球磨き装置が装着された状態を示す正面図（ネジ５１を取り外した状態）。（ｂ）図（ａ）におけるＡ−Ａ断面図。
【図６】（ａ）実施の形態のパチンコ機に装着された別例の球磨き装置の斜視図。（ｂ）同球磨き装置の分解斜視図。（ｃ）同球磨き装置の正面図（ネジ７２を取り外した状態）。（ｄ）図（ｃ）におけるＢ−Ｂ断面図。（ｅ）同球磨き装置の平面図。
【図７】（ａ）実施の形態のパチンコ機に装着された別例の球磨き装置の斜視図。（ｂ）同球磨き装置の分解斜視図。（ｃ）同球磨き装置の正面図（ネジ１０２を取り外した状態）。（ｄ）図（ｃ）におけるＣ−Ｃ断面図。
【図８】（ａ）実施の形態のパチンコ機に装着された別例の球磨き装置の斜視図。（ｂ）同球磨き装置の分解斜視図。（ｃ）同球磨き装置の正面図（ネジ１０２を取り外した状態）。（ｄ）図（ｃ）におけるＤ−Ｄ断面図。
【図９】（ａ）実施の形態のパチンコ機の盤面下部に別例の球磨き装置が装着された状態を示す分解斜視図。（ｂ）実施の形態のパチンコ機の盤面下部に別例の球磨き装置が装着された状態を示す正面図。
【符号の説明】
【００２２】
３…遊技盤、２２…入賞口としての普通入賞口、３０…入賞口としての大入賞口、３２…入賞口としての普通入賞口、３４…回収口、３６，６０，１１０，１４０…異物除去手段としての球磨き装置、４３Ａ，４３Ｂ，６４Ａ，６４Ｂ，９４，１３４…軸、４７Ａ，４７Ｂ，６８Ａ，６８Ｂ，９８，１１６…異物除去部材としてのスポンジ、７４…検出手段としての球検出器、７８…報知手段としてのＬＥＤ、１１８…モータ、１５０…異物除去部材としてのブラシ。
【図１】
2004000728.tif 000003
【図２】
2004000728.tif 000004
【図３】
2004000728.tif 000005
【図４】
2004000728.tif 000006
【図５】
2004000728.tif 000007
【図６】
2004000728.tif 000008
【図７】
2004000728.tif 000009
【図８】
2004000728.tif 000010
【図９】
2004000728.tif 000011
【手続補正書】
【提出日】平成15年8月5日(2003.8.5)
【手続補正１】
【補正対象書類名】特許請求の範囲
【補正対象項目名】全文
【補正方法】変更
【補正の内容】
【特許請求の範囲】
【請求項１】
ほぼ垂直に配置された遊技盤と遊技球を弾く弾球手段とを有し、少なくとも同遊技盤面には同弾球手段により弾かれて上方から落下する遊技球を受ける入賞口と入賞口に入賞しなかった非入賞球を回収するための回収口を設けた遊技機において、
　前記遊技盤面の回収口の近傍に遊技球に付着した異物を除去する異物除去手段を設け、前記回収口へ収容される全ての遊技球に前記異物除去手段と接触して異物除去処理が施されるようにしたことを特徴とする遊技機。
【手続補正２】
【補正対象書類名】明細書
【補正対象項目名】全文
【補正方法】変更
【補正の内容】
【発明の詳細な説明】
【技術分野】
【０００１】
　この発明は、パチンコ遊技機等に利用される遊技媒体である遊技球に付着した汚れを除去する装置を備えた遊技機に関する。
【背景技術】
【０００２】
　従来の遊技機において、遊技球に付着した異物を除去する装置を備えたものには、例えば特開平９−１９２３３３号に示す遊技機がある。この遊技機では、盤面の裏側に設けられた遊技球の通路に研磨装置を配置し、遊技球の移動に伴い、遊技球が研磨部材に当接することにより遊技球に付着している異物を除去するようにしていた。研磨装置は録音用のカセットテープのように、ケース内に一対の軸を配置し、同軸にリールを装着し、一方のリールから他方のリールにテープ状の研磨部材が巻き取られるようにしたものである。研磨装置は研磨部材が露出している部分が遊技球の通路に面するように装着され、遊技球が移動する際に研磨部材に接触することにより遊技球に付着している異物が除去されるようになっている。研磨部材の研磨能力が落ちるとリールが回転し、新たなテープ面が露出する。
【発明の開示】
【発明が解決しようとする課題】
【０００３】
　しかし、前記従来の遊技機においては、研磨装置を遊技盤の裏側に配置せざるを得ず、研磨装置の点検、調整、交換の作業は、一台ずつ前枠を外枠に対して回動させて遊技盤の裏側を作業者の側に向けた上で行わう必要があり、その作業は煩雑なものであった。また、研磨装置の交換はケース単位でなされ、使用済の研磨装置はケースごと廃棄処分がなされるため、環境上も問題があった。
　この発明はこのような事情に鑑みてなされたものであって、その目的は、研磨装置の点検、調整、交換の作業が容易に行え、環境上も問題のない研磨装置を備えた遊技機を提供することにある。
【課題を解決するための手段】
【０００４】
　上記の目的を達成するために、請求項１に記載の発明は、ほぼ垂直に配置された遊技盤と遊技球を弾く弾球手段とを有し、少なくとも同遊技盤面には同弾球手段により弾かれて上方から落下する遊技球を受ける入賞口と入賞口に入賞しなかった非入賞球を回収するための回収口を設けた遊技機において、前記遊技盤面の回収口の近傍に遊技球に付着した異物を除去する異物除去手段を設け、前記回収口へ収容される全ての遊技球に前記異物除去手段と接触して異物除去処理が施されるようにしたことをその要旨とする。上記の構成によれば、遊技盤面上を移動する遊技球のうち異物除去手段と接触した遊技球は、異物除去処理が施される。また、上記の目的を達成するために、請求項２に記載の発明は、請求項１に記載の遊技機において、前記異物除去手段を、前記遊技盤面に設けられた回収口の近傍に設け、前記回収口へ収容される遊技球に前記異物除去手段と接触して異物除去処理が施されるようにしたことをその要旨とする。上記の構成によれば、請求項１に記載の発明の作用に加え、回収口へ収容される遊技球は異物除去手段と接触して異物除去処理が施される。また、上記の目的を達成するために、請求項３に記載の発明は、請求項１又は２に記載の遊技機において、前記異物除去手段と干渉する遊技球を検出する検出手段と、同検出手段による遊技球の検出数が所定数に達するとそのことを報知する報知手段を設けたことをその要旨とする。上記の構成によれば、請求項１又は２に記載の発明の作用に加え、異物除去手段と干渉する遊技球が検出され、同検出手段による遊技球の検出数が所定数に達するとそのことが報知される。
【発明の効果】
【０００５】
　請求項１に記載の発明では、遊技盤面に異物除去手段を設けたので、遊技盤の背面を作業者側に向けなくとも、異物除去手段の点検、調整、交換の作業が容易にできる。請求項２に記載の発明では、請求項１に記載の発明の効果に加え、非入賞球は全て回収口に入口するので、回収口近傍に設けられた異物除去手段と接触する可能性が高く、効果的に遊技球に付着した異物を除去することができる。請求項３に記載の発明では、請求項１又は２に記載の発明の効果に加え、異物除去手段と干渉する遊技球が検出され、同検出手段による遊技球の検出数が所定数に達するとそのことが報知されるので、所定数を異物除去手段の除去能力が劣化する数としておけば、異物除去手段の交換時期を容易に知ることができ、点検作業が簡略化できる。
【発明を実施するための最良の形態】
【０００６】
　以下、本発明の実施の形態である遊技機（第１種始動口付きパチンコ機、以下単にパチンコ機という）を説明する。図１に示すように、外枠１には前枠２が回動軸を中心に回動可能に装着されている。同図１では前枠２は閉じた状態にある。前枠２には図示しない遊技盤、ガラス枠４、上皿５、下皿６、ハンドル部７等が装着されている。ガラス枠４は、前枠２に回動軸を中心に回動可能に装着されている。上皿５の側方であって前枠２内部にはスピーカ８が埋設されている。スピーカ８は遊技の進行に伴い種々の効果音を鳴らしたり、遊技者に遊技状態を音声にて報知する。前枠２内部には各種機構部が配設されている。
【０００７】
　次に遊技盤３の遊技面上の構成について説明する。
　図２に示すように、遊技盤３の中央には第１の可変表示装置たる特別図柄表示装置（以下単に表示装置という）１５が組み込まれている。表示装置１５は液晶ディスプレイ（ＬＣＤ）よりなる表示画面１５ａを備えている。表示画面１５ａの図柄変動は遊技球が第１種始動口１８へ入賞することで開始する。表示装置１５の上部には普通図柄表示装置１６が併設されている。普通図柄表示装置１６は発光ダイオード（ＬＥＤ）よりなる４つの保留ランプ１６ａ〜１６ｄとＬＥＤよりなるセグメント表示部１７とを有している。
　表示装置１５の下方には第１種始動口１８が配置されている。第１種始動口１８には球検出手段たる近接スイッチ１８ａが併設されている（遊技盤３の裏面側）。第１種始動口１８の入り口には一対の開閉羽根１９が併設されており、遊技球を案内する開放位置と、第１種始動口１８内に遊技球が入りにくくなる閉塞位置を採りうる。第１種始動口１８への入賞に基づいて前記表示装置１５が作動される。開閉羽根１９は遊技盤３の裏面側に配設されたソレノイド１９ａによって駆動される。
【０００８】
　表示装置１５の両側方には一対の通過ゲート２０が配置されている。同ゲート２０には遊技球の通過を検出する球検出手段たる近接スイッチ２０ａが併設されている（ゲート２０内）。通過ゲート２０を遊技球が通過すると前記普通図柄表示装置１６が作動する。通過ゲート２０の下方には一対の普通入賞口２２が配置されている。普通入賞口２２には、球検出手段たる近接スイッチ２２ａが併設されている（遊技盤３の裏面側）。表示装置１５の上部の両側には風車２４ａ，２４ｂが、下部の両側には風車２４ｃ，２４ｄが配置されている。遊技盤３上には遊技面を包囲するように電光装飾部２６が配置されている。電光装飾部２６は透明又は半透明のプラスチック製のパネルであって、パネルの裏面にＬＥＤよりなる装飾ランプ２６ａが所定間隔で配置されている。
　前記第１種始動口１８の下方には下部パネル２８が配置されている。図３に示すように、下部パネル２８には大入賞口３０，普通入賞口３２，回収口３４，異物除去手段としての球磨き装置３６，レール３８が設けられている。大入賞口３０は前記パネル２８の上部中央に配置され、常時はシャッタ４１が閉塞されており、前記表示装置１５が作動されて特別遊技状態となると開放される。シャッタ４１は遊技盤３の裏面側に配設されたソレノイド４１ａによって駆動される。また、大入賞口３０へ入賞する遊技球全体を検出する球検出手段たる近接スイッチ３０ａが併設されている。一対の普通入賞口３２は大入賞口３０の両側に配置されている。普通入賞口３２には、球検出手段たる近接スイッチ３２ａが併設されている（下部パネル２８の裏面側）。回収口３４は、下部パネル２８の下部中央に配置されている。回収口３４は下部パネル２８に長円形の孔を形成したものである。球磨き装置３６は回収口３４の直上に配置されている。
【０００９】
　以下、球磨き装置３６について詳述する。図３〜図５に示すように、球磨き装置３６は、軸４３Ａ，４３Ｂ，回動部材４５Ａ，４５Ｂ，異物除去部材としてのスポンジ４７Ａ，４７Ｂ，回動部材押さえ具４９，ネジ５１とにより構成されている。軸４３Ａ，４３Ｂは、下部パネル２８の回収口３４の直上に一定の間隔で突設されている。軸４３Ａ，４３Ｂは、円筒状に形成され一方の端部４４の径が大きく形成されている。同端部４４の外周面には、ネジ溝４４ａが形成されている。下部パネル２８には、回収口３４の直上に一定の間隔で一対の孔２９が形成され、同孔２９の内周面にはネジ溝２９ａが形成されている。図５（ｂ）に示すように、軸４３Ａ，４３Ｂは、前記孔２９の周縁のネジ溝２９ａに前記ネジ溝４４ａが螺合されて、前記孔２９に固定されている。孔２９の周縁部には２段状のワッシャ４２が形成されている。軸４３Ａ，４３Ｂの内周面にはネジ５１を装着するためのネジ溝４３ａが形成されている。回動部材４５Ａ，４５Ｂは、軸４３Ａ，４３Ｂに回動可能に装着されている。回動部材４５Ａ，４５Ｂは円筒状に形成され、その外周面には外形が正８角形板状のずれ防止環４５ａが形成されている。スポンジ４７Ａ，４７Ｂは円筒状に形成され、回動部材４５Ａ，４５Ｂに外嵌されている。前記ずれ防止環４５ａはスポンジ４７Ａ，４７Ｂの当接部分を押圧している。回動部材押さえ具４９は、ネジ５１により軸４３Ａ，４３Ｂに固定されている。回動部材押さえ具４９には、一対の切欠部４９ａが形成されている。ネジ５１は、同切欠部４９ａを介して軸４３Ａ，４３Ｂのネジ溝４３ａに螺着されている。間隔Ｔ１（スポンジ４７Ａ，４７Ｂ間）、間隔Ｔ２（スポンジ４７Ａとレール間）、間隔Ｔ３（スポンジ４７Ｂとレール間）と遊技球Ｂの直径Ｕとは、
　　　　　　　　　　　Ｔ１，Ｔ２，Ｔ３＜Ｕ
の関係にあることが望ましい。遊技球Ｂの重量によりスポンジ４７Ａ，４７Ｂが凹み、遊技球Ｂの通過は阻害されない。但し、Ｔ１，Ｔ２，Ｔ３があまりに狭いと、遊技球Ｂが通過できないので前もって調整をする必要がある。Ｔ１は両側がスポンジであるので、Ｔ２，Ｔ３より狭くても遊技球の通過が可能である。レール３８は、下部パネル２８の下端縁に沿って形成されている。
【００１０】
　次に、本実施の形態の遊技機の作用について説明する。
　図４に示すように、本実施の形態のパチンコ機においては、第１種始動口１８，普通入賞口２２，普通入賞口３２，大入賞口３０に入賞した遊技球以外の遊技球（非入賞球）は全て回収口３４に入口する。従って非入賞球Ｂは、全て球磨き装置３６のスポンジ４７Ａ，４７Ｂの両方又はいずれかと接触し、球面に付着した異物が除去される。ここで異物とは、遊技球自体以外の全ての物質をいい、遊技球自体が発生する錆をも含む概念である。これらの異物には、例えば前記錆の外、遊技釘から発生する金属粉、プラスチック粉、ほこり等がある。図５（ａ）に示すように、軌跡Ｐで回収口３４に入口する遊技球Ｂは、スポンジ４７Ａ，４７Ｂの両方と接触し、スポンジ４７Ａを回動部材４５Ａごと時計回り方向に、スポンジ４７Ｂを回動部材４５Ｂごと反時計回り方向に回動させながら落下した後、回収口３４に入口する。軌跡Ｑで回収口３４に入口する遊技球Ｂは、スポンジ４７Ｂと接触し、スポンジ４７Ｂを回動部材４５Ｂごと時計回り方向に回動させて回収口３４に入口する。軌跡Ｒで回収口３４に入口する遊技球Ｂは、スポンジ４７Ａと接触し、スポンジ４７Ａを回動部材４５Ａごと反時計回り方向に回動させて回収口３４に入口する。いずれの方向から回収口３４に入口してもスポンジ４７Ａ又は４７Ｂによって遊技球Ｂの上記異物が除去される。下部パネル２８の軸４３Ａ，４３Ｂの嵌着部分の周縁には２段状のワッシャ４２が形成されているので、回動部材４５Ａ，４５Ｂ，スポンジ４７Ａ，４７Ｂは盤面３ａとは接触せず、回動は円滑に行われる。スポンジ４７Ａ，４７Ｂは、回動部材４５Ａ，４５Ｂのずれ防止環４５ａにより当接部分が押圧されているので遊技球Ｂが接触しても回動部材４５Ａ，４５Ｂに対しての装着位置が移動することはない。
【００１１】
　スポンジ４７Ａ，４７Ｂが多数の遊技球と接触し、スポンジ４７Ａ，４７Ｂに異物が付着し、異物除去能力が低下した場合にはスポンジ４７Ａ，４７Ｂを交換する。スポンジ４７Ａ，４７Ｂの交換は、以下のようにして行う。（１）ネジ５１を少し緩め、回動部材押さえ具４９を上方から取り外す。（２）軸４３Ａ，４３Ｂから回動部材４５Ａ，４５Ｂごと取り外す。（３）回動部材４５Ａ，４５Ｂから異物除去能力が低下したスポンジ４７Ａ，４７Ｂを取り外し、新しいスポンジ４７Ａ，４７Ｂを回動部材４５Ａ，４５Ｂに装着する。（４）新しいスポンジ４７Ａ，４７Ｂを装着した回動部材４５Ａ，４５Ｂを再び軸４３Ａ，４３Ｂに装着する。（５）回動部材押さえ具４９を一対の切欠部４９ａをネジ５１のネジ棒に嵌めることにより装着する。（６）ネジ５１を締めて回動部材押さえ具４９を軸４３Ａ，４３Ｂに固定する。
【００１２】
　このように構成することにより本実施の形態の遊技機は以下のような効果を奏する。
（１）盤面３ａに球磨き装置３６を設けたので、外枠１に対して前枠２を回動させて遊技盤３の背面を作業者側に向けなくとも、ガラス枠４を外すだけで、球磨き装置３６の点検、調整、交換の作業が容易にできる。
（２）入賞しなかった遊技球は全て回収口３４に入口し、回収口３４に入口する遊技球は全て球磨き装置３６のスポンジ４７Ａ，４７Ｂと接触するので、効果的に遊技球に付着した異物を除去することができる。
（３）球磨き装置３６は、軸４３Ａ，４３Ｂ，回動部材４５Ａ，４５Ｂ，スポンジ４７Ａ，４７Ｂ，回動部材押さえ具４９，ネジ５１とからなるので小型化が可能であり、盤面３ａに設けても外観上違和感がない。
（４）スポンジ４７Ａ，４７Ｂは回動部材４５Ａ，４５Ｂに脱着可能に装着されているので、スポンジ４７Ａ，４７Ｂのみの交換が可能となる。
（５）スポンジ４７Ａ，４７Ｂは回動部材４５Ａ，４５Ｂを介して、軸４３Ａ，４３Ｂに対して回動可能に装着されているので、遊技球Ｂがスポンジ４７Ａ，４７Ｂと接触すると回動部材４５Ａ，４５Ｂごとスポンジ４７Ａ，４７Ｂも回動し、遊技球Ｂの落下を妨げない。また、スポンジ４７Ａ，４７Ｂの遊技球Ｂと接触する部位が変化するため、スポンジ４７Ａ，４７Ｂの外周面全体が万遍なく遊技球Ｂと接触することとなり、スポンジ４７Ａ，４７Ｂの使用期間を長くすることができる。
（６）回動部材押さえ具４９には、一対の切欠部４９ａが設けられているのでネジ５１を少し緩めるだけで回動部材押さえ具４９を取り外すことができ、ネジ５１を軸４３Ａ，４３Ｂから取り外さなくても回動部材４５Ａ，４５Ｂを軸４３Ａ，４３Ｂから取り外すことができる。従って、スポンジ４７Ａ，４７Ｂの交換作業が簡単にできる。
（７）回動部材４５Ａ，４５Ｂにはずれ防止環４５ａが形成されているので、スポンジ４７Ａ，４７Ｂが遊技球Ｂと接触しても回動部材４５Ａ，４５Ｂに対する装着位置がずれることはない。
【００１３】
　なお、この発明は前記実施の形態に限定されるものではなく、次のように変更して具体化することも可能である。
・球磨き装置３６の軸４３Ａ，４３Ｂに直接スポンジ４７Ａ，４７Ｂを装着してもよい。この場合には、軸４３Ａ，４３Ｂの径を大きくするか、スポンジ４７Ａ，４７Ｂの孔の径を小さくしてスポンジ４７Ａ，４７Ｂが容易に軸４３Ａ，４３Ｂから抜けないようにする必要がある。このようにした場合、遊技球Ｂがスポンジ４７Ａ，４７Ｂに接触してもスポンジ４７Ａ，４７Ｂが回動しないため、遊技球Ｂの落下を妨げる可能性がある。しかし、スポンジ４７Ａ，４７Ｂは弾性部材であることから、前記Ｔ１，Ｔ２，Ｔ３を若干Ｕに近づければ支障は生じない。また、遊技球Ｂがスポンジ４７Ａ，４７Ｂに接触する部位が固定化するため、同接触する部位のみの異物除去能力が早期に劣化する。従って、点検等によりスポンジ４７Ａ，４７Ｂの軸４３Ａ，４３Ｂに対する装着位置を変化させる必要がある。
【００１４】
　・図６（ａ）〜（ｅ）に示す球磨き装置６０のように、基板６２に軸６４Ａ，６４Ｂを固定し、基板６２を下部パネル２８又は盤面３ａに装着するようにしてもよい。球磨き装置６０は、基板６２、軸６４Ａ，６４Ｂ、回動部材６６Ａ，６６Ｂ、スポンジ６８Ａ，６８Ｂ、回動部材押さえ具７０，ネジ７２、検出手段としての球検出器（近接センサ）７４，基板７６，報知手段としてのＬＥＤ７８とからなる。基板６２には一対の孔６３が一定の間隔で形成され、同孔６３の内周面にはネジ溝６３ａが形成されている。基板６２の両端にはネジで下部パネル２８に固定するためのネジ孔６２ａが形成され、周縁部６２ｂは斜めに面取りされている。孔６３の周縁部には２段状のワッシャ６５が形成されている。基板６２は透光性を有するプラスチックで形成されている。軸６４Ａ，６４Ｂは、円筒状に形成され一方の端部６７の径が大きく形成されている。軸６４Ａ，６４Ｂの同端部６７の外周面には、ネジ溝６７ａが形成されている。軸６４Ａ，６４Ｂは、前記孔６３の周縁のネジ溝６３ａに前記ネジ溝６７ａを螺合させることにより、前記孔６３に固定されている。軸６４Ａ，６４Ｂにはネジ７２を装着するためのネジ溝６４ａが形成されている。回動部材６６Ａ，６６Ｂは、軸６４Ａ，６４Ｂに回動可能に装着されている。回動部材６６Ａ，６６Ｂは円筒状に形成され、その外周面には外形が正８角形板状のずれ防止環６６ａが形成されている。スポンジ６８Ａ，６８Ｂは円筒状に形成され、回動部材６６Ａ，６６Ｂに外嵌されている。スポンジ６８Ａ，６８Ｂは、装着状態において前記ずれ防止環６６ａにより当接部分が圧接されている。回動部材押さえ具７０は、ネジ７２により軸６４Ａ，６４Ｂに固定されている。回動部材押さえ具７０には、一対の切欠部７０ａが形成されている。ネジ７２は、同切欠部７０ａを介して軸６４Ａ，６４Ｂのネジ孔６４ａに螺着されている。基板６２の背面側には、一対の固定棒８０，８２が延出されている。固定棒８０，８２にはネジ孔８０ａ，８２ａが形成されている。固定棒８０，８２には基板７６が固定されている。基板７６には一対の孔７６ａ，７６ｂが形成され、同孔７６ａ，７６ｂにネジ８４が挿通され、前記ネジ孔８０ａ，８２ａに螺着されている。基板７６の中央には球検出器７４が装着されている。球検出器７４は近接センサからなる。球検出器７４の両側にはＬＥＤ７８が装着されている。球検出器７４は、スポンジ６８Ａ，６８Ｂ間を通過する遊技球Ｂを検出し、その検出信号は図示しない制御装置に送信されるようになっている。検出数が所定数に達すると制御装置からの信号によりＬＥＤ７８に電力が供給され、ＬＥＤ７８が点灯するようになっている。
【００１５】
　球磨き装置６０は、下部パネル２８の回収口３４の直上に形成された孔２８ａを覆うように装着され、基板６２の背面側に設けられた固定棒８０，８２，球検出器７４，ＬＥＤ７８，基板７６は下部パネル２８の裏面側に位置している。スポンジ６８Ａ，６８Ｂ間、スポンジ６８Ａとレール３８間、スポンジ６８Ｂとレール３８間と遊技球Ｂの直径Ｕとの関係は、球磨き装置３６と同様である。この球磨き装置６０を装着した場合は、球検出器７４により、スポンジ６８Ａ，６８Ｂ間を通過する遊技球Ｂが検出され、その検出数が所定数に達するとＬＥＤ７８が点灯するので、所定数をスポンジ６８Ａ，６８Ｂの異物除去能力が低下し交換が必要となる数とすれば、スポンジ６８Ａ，６８Ｂの交換時期を容易に知ることができる。所定数は経験的に算出することが可能である。尚、球検出器７４により検出される遊技球はスポンジ６８Ａ，６８Ｂ間を通過するものだけであるため、スポンジ６８Ａとレール３８間、スポンジ６８Ｂとレール３８間を通過する遊技球は検出されない。しかし、スポンジ６８Ａ，６８Ｂ間、スポンジ６８Ａとレール３８間、スポンジ６８Ｂとレール３８間を通過する遊技球の割合は経験的に算出できるため、その割合に基づいて前記所定数を決定すれば支障は生じない。この球磨き装置６０を装着した場合も前記（１）〜（７）と同様の効果が得られる。
【００１６】
　・図７（ａ）〜（ｄ）に示す球磨き装置９０を下部パネル２８又は盤面３ａに装着するようにしてもよい。球磨き装置９０は、軸等を単体としたものであり、基板９２，軸９４，回動部材９６，スポンジ９８，回動部材押さえ具１００，ネジ１０２とからなる。基板９２は菱形状に形成され、中央には軸を固定するための孔９３が形成されている。孔９３の内周面にはネジ溝９３ａが形成されている。孔９３の周縁部には２段状のワッシャ９５が形成されている。基板９２の両端には下部パネル２８又は盤面３ａにネジで固定するためのネジ孔９２ｂが形成されており、周縁部９２ｃは斜めに面取りされている。軸９４は、円筒状に形成され一方の端部９７の径が大きく形成されている。軸９４の同端部９７の外周面には、ネジ溝９７ａが形成されている。軸９４は、前記孔９３の周縁のネジ溝９３ａに前記ネジ溝９７ａを螺合させることにより、前記孔９３に固定されている。軸９４にはネジ１０２を装着するためのネジ孔９４ａが形成されている。回動部材９６は、軸９４に回動可能に装着されている。回動部材９６は円筒状に形成され、その外周面には外形が正８角形板状のずれ防止環９６ａが形成されている。スポンジ９８は円筒状に形成され、回動部材９６に外嵌されている。スポンジ９８は、装着状態において前記ずれ防止環９６ａにより当接部分が圧接されている。回動部材押さえ具１００は、ネジ１０２により軸９４に固定されている。回動部材押さえ具１００には、切欠部１００ａが形成されている。ネジ１０２は、同切欠部１００ａを介して軸９４のネジ孔９４ａに螺着されている。球磨き装置９０は、外レール９と内レール３８との間の出口付近（図２におけるＰの位置）に装着されている。スポンジ９８と外レール９間Ｔ４と遊技球Ｂの直径Ｕとは、
　　　　　　　　　　　　　Ｔ４＜Ｕ
の関係にあることが望ましい。前記球磨き装置３６の場合と同様、Ｔ４があまりに狭いと遊技球Ｂが通過できないので、前もって調整する必要がある。この場合には、遊技者により発射され、遊技盤面３ａに導かれる遊技球は全てスポンジ９８に接触するので効果的に遊技球Ｂに付着した異物を除去できる。また、この球磨き装置９０を装着した場合も前記（１），（３）〜（７）と同様効果が得られる。
【００１７】
　・図８（ａ）〜（ｄ）に示す球磨き装置１１０を下部パネル２８又は盤面３ａに装着するようにしてもよい。球磨き装置１１０は、球磨き装置９０と同様、軸等を単体としたものであり、基板１１２，スポンジ取付軸１１４，スポンジ１１６，モータ１１８，ネジ１２０とからなる。基板１１２は菱形形状に形成され、中央に軸通し用の孔１２２が形成され、同孔１２２の周縁部にはワッシャ１１３が形成されている。基板１１２の両端には、ネジで下部パネル又は盤面３ａに固定するための孔１２４が形成されている。前記ワッシャ１１３の外側にはモータ１１８をネジ１２０で基板１１２に固定するための一対の孔１２６が形成されている。基板１１２の周縁部１１２ａは斜めに面取りされている。基板１１２の背面側には孔１２６に対応する位置に一対の固定棒１２８が設けられている。孔１２６は固定棒１２８を貫いて形成されている。モータ１１８のボディ１３０には一対のネジ孔１３２が形成されている。モータ１１８は、ネジ１２０が孔１２６を貫通してネジ孔１３２に螺着されることにより、基板１１２に固定されている。モータ軸１３４は先端が切り欠かれ、半円柱状に形成されている。スポンジ取付軸１１４はモータ軸１３４に嵌着されている。スポンジ取付軸１１４には、前記モータ軸１３４に対応する孔１１４ａが形成され、モータ軸１３４に対して回動不能である。スポンジ取付軸１１４はほぼ有底円筒状に形成され、その外周面には外形が正８角形板状のずれ防止環１１４ｂが形成されている。スポンジ１１６は円筒状に形成され、スポンジ取付軸１１４に外嵌されている。スポンジ１１６は、装着状態において前記ずれ防止環１１４ｂにより当接部分が圧接されている。球磨き装置１１０は、球磨き装置９０と同様の位置に装着されている。
　この場合には、モータ軸１３４が回転するとスポンジ取付軸１１４も回転し、それに応じてスポンジ１１６も回転する。従って、遊技球Ｂがスポンジ１１６と接触するとスポンジ１１６のうち遊技球Ｂと接触する面積が多くなり、一回の接触で球磨き装置３６，６０，９０と比較してより多くの異物を除去できる。また、この球磨き装置１１０を装着した場合も前記球磨き装置９０と同様の効果が得られる。
【００１８】
　・図９（ａ）（ｂ）に示す球磨き装置１４０を回収口３４の直上に装着するようにしてもよい。球磨き装置１４０は、取り付け腕１４２Ａ，１４２Ｂ，ブラシ１４４Ａ，１４４Ｂ，ネット１４６，異物収容棚１４８とからなる。取り付け腕１４２Ａ，１４２Ｂは、その一端が下部パネル２８に形成された孔２９に嵌着されることにより、下部パネル２８に突設して設けられている。取り付け腕１４２Ａ，１４２Ｂは円柱状に形成され、長手方向に十字状のスリット１４２ａが形成されている。ブラシ１４４Ａ，１４４Ｂは、前記スリット１４２ａに対応する十字状の基体１５０に、刷毛１５２が装着されたものである。刷毛１５２は、ナイロンからなり、ブラシ１４４Ａについては下部と右部に、ブラシ１４４Ｂについては下部と左部に装着されている。ブラシ１４４Ａ，１４４Ｂは、基体１５０が前記スリット１４２ａに嵌合されることにより、取り付け腕１４２Ａ，１４２Ｂに装着されている。レール３８の回収口３４の手前部分には棚収容部３８ａが形成されている。棚収容部３８ａの端部には、ネット１４６を装着するための段差３８ｂが形成されている。棚収容部３８ａの底面には孔３８ｃが形成されている。棚収容部３８には、箱状に形成された異物収容棚１４８が載置されている。異物収容棚１４８の前面には凹部１４８ａが形成されている。前記段差３８ｂには、ネット１４６が装着されている。
　この球磨き装置１４０を装着した場合には、遊技球Ｂに付着していた異物はブラシ１４４Ａ，１４４Ｂにより除去され、ブラシ１４４Ａ，１４４Ｂに付着せず、下方に下降する。従って、ブラシ１４４Ａ，１４４Ｂの異物除去能力はほとんど低下せず、交換はほとんど必要がない。下降した異物はネット１４６のすきまを通過してさらに下降し、異物収容棚１４８内に堆積する。異物収容棚１４８内に堆積した異物が一定量に達したら、異物収容棚１４８を棚収容部３８から取り出し、異物を廃棄し、空になった異物収容棚１４８を再び棚収容部３８に載置すればよい。この球磨き装置１４０を装着した場合には前記（１）（２）と同様の効果も奏する。異物収容棚１４８を取り出す際には棚収容部３８ａの底面の孔３８ｃに指を入れて異物収容棚１４８を押し出せばよい。
　・球磨き装置３６，６０，９０，１１０は、盤面３ａや下部パネル２８上だけでなく、遊技盤３の背面側に設けられた遊技球の通路に設けてもよい。球磨き装置６０を回収口３４から僅かに内側に入った通路に設けた場合には、回収口３４に回収された遊技球が全て検出され、スポンジ６８Ａ，６８Ｂの交換時期の算出がより確実となる。
【００１９】
　本発明について上記実施の形態から把握できる技術的思想について以下に記載する。
（１）前記異物除去手段は、軸と同軸の周面を被覆する異物除去部材とからなり、前記遊技球は同異物除去部材と接触して異物除去処理が施される請求項１又は請求項２に記載の遊技機。上記の発明では、請求項１又は２に記載の発明の効果に加え、異物除去手段は、軸と同軸の周面を被覆する異物除去部材とからなるので、小型化が可能であり、盤上に設けても外観上も見苦しくなく、遊技にも支障を生ずることがない。
（２）前記異物除去部材は軸に脱着可能に装着されている上記（１）に記載の遊技機。上記の発明では、上記（１）に記載の発明の効果に加え、異物除去部材は軸に脱着可能に装着されているので、軸を盤上に固定しても異物除去部材のみの交換が可能となる。
（３）前記異物除去部材は軸に対して回動可能に装着されている上記（１）又は（２）に記載の遊技機。上記の発明では、上記（１）又は（２）に記載の発明の効果に加え、異物除去部材は軸に対して回動可能に装着されているので、遊技球が異物除去部材と接触すると異物除去部材も回動し、遊技球の落下を妨げない。また、異物除去部材の遊技球との接触部位が絶えず変化し、異物除去部材の使用期間を長くすることができる。
【００２０】
（４）前記軸には、同軸を回転させる回転手段を設けた上記（１）又は（２）に記載の遊技機。上記の発明では、上記（１）又は（２）に記載の発明の効果に加え、軸を回転させる回転手段を設けたので、軸を回転させると異物除去部材も回転し、遊技球が異物除去部材と接触すると遊技球に付着した異物を効果的に除去できる。
（５）ほぼ垂直に配置された遊技盤と遊技球を弾く弾球手段とを有し、少なくとも同遊技盤面には同弾球手段により弾かれて上方から落下する遊技球を受ける入賞口と入賞口に入賞しなかった非入賞球を回収するための回収口を設け、同遊技盤の裏面には少なくとも前記入賞口への入賞球を導くための第１の通路と前記回収口に回収された非入賞球を導くための第２の通路とを設けた遊技機において、上記（１）〜（４）のいずれかに記載の異物除去手段を前記第１又は第２の通路の少なくとも一方に設け、前記通路に導かれた遊技球に前記異物除去手段と接触して異物除去処理が施されるようにしたことを特徴とする遊技機。上記の発明では、上記（１）〜（４）のいずれかに記載の異物除去手段を通路に設けたので、異物除去手段の小型化が可能であり、軸を通路に固定しても異物除去部材のみの交換ができ、遊技球の移動を妨げず、遊技球に付着した異物を効果的に除去できる。
（６）前記回収口に回収される遊技球が全て前記異物除去手段と接触するようにした請求項２に記載の遊技機。
（７）前記異物除去手段により除去された異物を回収する手段を設けた請求項１〜３のいずれかに記載の遊技機。
（８）弾球手段により遊技盤面に導かれる遊技球は全て前記異物除去手段と接触するようにした請求項１〜３のいずれかに記載の遊技機。
【図面の簡単な説明】
【００２１】
【図１】本発明の実施の形態のパチンコ機の斜視図。
【図２】実施の形態のパチンコ機の盤面を示す正面図。
【図３】実施の形態のパチンコ機の盤面下部を示す斜視図。
【図４】実施の形態のパチンコ機の盤面下部に球磨き装置が装着された状態を示す分解斜視図。
【図５】（ａ）実施の形態のパチンコ機の盤面下部に球磨き装置が装着された状態を示す正面図（ネジ５１を取り外した状態）。（ｂ）図（ａ）におけるＡ−Ａ断面図。
【図６】（ａ）実施の形態のパチンコ機に装着された別例の球磨き装置の斜視図。（ｂ）同球磨き装置の分解斜視図。（ｃ）同球磨き装置の正面図（ネジ７２を取り外した状態）。（ｄ）図（ｃ）におけるＢ−Ｂ断面図。（ｅ）同球磨き装置の平面図。
【図７】（ａ）実施の形態のパチンコ機に装着された別例の球磨き装置の斜視図。（ｂ）同球磨き装置の分解斜視図。（ｃ）同球磨き装置の正面図（ネジ１０２を取り外した状態）。（ｄ）図（ｃ）におけるＣ−Ｃ断面図。
【図８】（ａ）実施の形態のパチンコ機に装着された別例の球磨き装置の斜視図。（ｂ）同球磨き装置の分解斜視図。（ｃ）同球磨き装置の正面図（ネジ１０２を取り外した状態）。（ｄ）図（ｃ）におけるＤ−Ｄ断面図。
【図９】（ａ）実施の形態のパチンコ機の盤面下部に別例の球磨き装置が装着された状態を示す分解斜視図。（ｂ）実施の形態のパチンコ機の盤面下部に別例の球磨き装置が装着された状態を示す正面図。
【符号の説明】
【００２２】
３…遊技盤、２２…入賞口としての普通入賞口、３０…入賞口としての大入賞口、３２…入賞口としての普通入賞口、３４…回収口、３６，６０，１１０，１４０…異物除去手段としての球磨き装置、４３Ａ，４３Ｂ，６４Ａ，６４Ｂ，９４，１３４…軸、４７Ａ，４７Ｂ，６８Ａ，６８Ｂ，９８，１１６…異物除去部材としてのスポンジ、７４…検出手段としての球検出器、７８…報知手段としてのＬＥＤ、１１８…モータ、１５０…異物除去部材としてのブラシ。